【手続補正書】
【提出日】平成25年7月9日(2013.7.9)
【手続補正１】
【補正対象書類名】明細書
【補正対象項目名】０００９
【補正方法】変更
【補正の内容】
【０００９】
従来は、デッキボードの裏面側に凹凸面を設けてデッキボードの強度ＵＰを図るが、この場合は、裏面側を車両内装として使用する目的がないので、形状がフラットでなくても問題にならず、また意匠性が多少落ちても何ら問題は無かった。（表側が車室内側になり、裏面側は通常車体パネル側に設置されるもので、特に裏面側に意匠性の向上は要求されなかった。）
また、デッキボードとしての表面側を意匠面として使用する要求があり、このため熱可塑性樹脂製の板材の表面に不織布が積層されている。このように積層された不織布は細かな塵やごみが付着し易く使い勝手が悪い。このため、裏面側をデッキボードとしての機能以外に使用するが、裏面側は本来表面側として使用しないため意匠性に欠けていた。
【手続補正２】
【補正対象書類名】明細書
【補正対象項目名】００１８
【補正方法】変更
【補正の内容】
【００１８】
また、一般的な使い方（買い物・通勤）の場合は、表側（不織布面）を使用し、レジャー（アウトドア・キャンプ等の場合は、裏面（ＰＰ）にし、砂や泥が付着しても簡単に掃除することが可能であり、用途に応じて、デッキボードとして使い分けが出来る。
【手続補正３】
【補正対象書類名】明細書
【補正対象項目名】００２２
【補正方法】変更
【補正の内容】
【００２２】
また、一般的な使い方（買い物・通勤）の場合は、表側（不織布面）を使用し、レジャー（アウトドア・キャンプ等の場合は、裏面（ＰＰ）にし、砂や泥が付着しても簡単に掃除することが可能であり、用途に応じて、デッキボードとして使い分けが出来る。
【手続補正４】
【補正対象書類名】明細書
【補正対象項目名】００２７
【補正方法】変更
【補正の内容】
【００２７】
［第１実施形態］
図１は、本発明の第１実施形態の積層板１を示す断面図、図２は、積層板１を成形する金型を示す断面図である。
【手続補正５】
【補正対象書類名】明細書
【補正対象項目名】００２８
【補正方法】変更
【補正の内容】
【００２８】
積層板１は、図１３に示す車両用デッキボード４５として用いられる。車両用デッキボード４５は、図１２に示す自動車４６のラゲッジルーム４７を覆うように用いられるものである。
【手続補正６】
【補正対象書類名】明細書
【補正対象項目名】００４７
【補正方法】変更
【補正の内容】
【００４７】
第４の工程においては、金型３１、３２をそれぞれ真空吸引しながら型締めし、裏基材２２を上型３２の内面形状に真空賦形させる。この真空賦形により、上型３２の内面形状３２ａに形成されている絞模様が裏基材２２の表面側に転写される。この絞模様の転写により、裏基材２２の表面側に意匠性が付与される。
【手続補正７】
【補正対象書類名】明細書
【補正対象項目名】００７９
【補正方法】変更
【補正の内容】
【００７９】
熱可塑性樹脂発泡シート４１は、ポリプロピレン発泡シート（ＰＰＦ）からなり、端部２２ａを除く裏基材２２の裏面側の略全体に積層されており、その下に嵩上げ架橋材２４及びリインフォース２５が配置される。すなわち、熱可塑性樹脂発泡シート４１は、裏基材２２と、嵩上げ架橋材２４及びリインフォース２５との間に設けられるものである。このように熱可塑性樹脂発泡シート４１を裏基材２２と、嵩上げ架橋材２４及びリインフォース２５との間に設けることにより、裏基材２２と、嵩上げ架橋材２４及びリインフォース２５とが直接に接触することを阻止するようになっている。熱可塑性樹脂発泡シート４１は、予め片側に粘着加工が施されており、この加工面側に嵩上げ架橋材２４及びリインフォース２５が接着される。
【手続補正８】
【補正対象書類名】明細書
【補正対象項目名】００８４
【補正方法】変更
【補正の内容】
【００８４】
第４の工程においては、下型３１及び上型３２をそれぞれ真空吸引しながら型締めする。これにより、熱可塑性樹脂発泡シート４１の上面に配置された裏基材２２を上型３２の内面形状に真空賦形させる。上型３２の内面には、絞模様が形成されているから、この真空賦形により裏基材２２の表面側にも絞模様が施される。これにより、表基材２１の表面側だけでなく裏基材２２の表面側にも絞模様が付与され、表基材２１だけでなく裏基材２２にも意匠性が付与される。
【手続補正９】
【補正対象書類名】明細書
【補正対象項目名】００８５
【補正方法】変更
【補正の内容】
【００８５】
第４の工程においては、上述した真空賦形と同時に表基材２１及び裏基材２２の内部に圧縮空気を注入してブロー成形する。このブロー成形により、嵩上げ架橋材２４及びリインフォース２５を、表基材２１及び熱可塑性樹脂発泡シート４１に溶着して固定する。これと同時に、表基材２１及び裏基材２２の端部２１ａ，２２ａを溶着すると共に溶着した端部の周辺部を切り離す。
【手続補正１０】
【補正対象書類名】明細書
【補正対象項目名】００８７
【補正方法】変更
【補正の内容】
【００８７】
このような第７実施形態によれば、表基材２１の表面側及び裏基材２２の表面側に絞模様が形成されるため、表基材２１だけでなく裏基材２２にも意匠性が付与された両面意匠を持った積層板７とすることができる。
【手続補正１１】
【補正対象書類名】明細書
【補正対象項目名】００８８
【補正方法】変更
【補正の内容】
【００８８】
又、裏基材２２と嵩上げ架橋材２４及びリインフォース２５との間に熱可塑性樹脂発泡シート４１が介在しているため、裏基材２２と嵩上げ架橋材２４及びリインフォース２５とが直接に接触することがない。このため、嵩上げ架橋材２４及びリインフォース２５の熱伝導率が異なっていても熱伝導率の差に影響されることなく、裏基材２２の全体が均一に収縮する。裏基材２２の全体が均一に収縮することにより、裏基材２２にスジむらが発生することを抑制できる。これにより裏基材２２に良好な意匠性を付与することができ、積層板７の商品価値を向上させることができる。
【手続補正１２】
【補正対象書類名】明細書
【補正対象項目名】００９１
【補正方法】変更
【補正の内容】
【００９１】
この実施形態の積層板８においては、熱可塑性樹脂発泡シート４１、４２が裏基材２２の裏面側及び表基材２１の裏面側の両方に設けられる。すなわち、裏基材２２においては、その裏面側の略全体と、嵩上げ架橋材２４及びリインフォース２５との間に熱可塑性樹脂発泡シート４１が配置され、表基材２１においては、その裏面側の略全体と、嵩上げ架橋材２４及びリインフォース２５との間に熱可塑性樹脂発泡シート４２が配置されるものである。表基材２１側の熱可塑性樹脂発泡シート４２は、裏基材２２側の熱可塑性樹脂発泡シート４１と同様のポリプロピレン発泡シート（ＰＰＦ）が使用される。
【手続補正１３】
【補正対象書類名】明細書
【補正対象項目名】００９６
【補正方法】変更
【補正の内容】
【００９６】
第４の工程においては、下型３１及び上型３２をそれぞれ真空吸引しながら型締めする。これにより、熱可塑性樹脂発泡シート４１の上面に配置された裏基材２２を上型３２の内面形状に真空賦形させる。上型３２の内面には、絞模様が形成されているから、この真空賦形により裏基材２２の表面側にも絞模様が施される。これにより、表基材２１の表面側だけでなく裏基材２２の表面側にも絞模様が付与され、表基材２１だけでなく裏基材２２にも意匠性が付与される。
【手続補正１４】
【補正対象書類名】明細書
【補正対象項目名】００９９
【補正方法】変更
【補正の内容】
【００９９】
このような第８実施形態によれば、第７実施形態と同様に、表基材２１の表面側及び裏基材２２の表面側に絞模様が形成されるため、表基材２１だけでなく裏基材２２にも意匠性が付与された両面意匠を持った積層板８とすることができる。
【手続補正１５】
【補正対象書類名】明細書
【補正対象項目名】０１００
【補正方法】変更
【補正の内容】
【０１００】
又、裏基材２２と嵩上げ架橋材２４及びリインフォース２５との間に熱可塑性発泡シート４１が介在する一方、表基材２１と嵩上げ架橋材２４及びリインフォース２５との間に熱可塑性樹脂発泡シート４２が介在しているため、裏基材２２及び表基材２１の両方が嵩上げ架橋材２４及びリインフォース２５に直接に接触することがない。このため、嵩上げ架橋材２４及びリインフォース２５の熱伝導率が異なっていても熱伝導率の差に影響されることなく、裏基材２２及び表基材２１の両方全体が均一に収縮する。そして、このように裏基材２２及び表基材２１の全体が均一に収縮することにより、裏基材２２及び表基材２１の両方にスジむらが発生することを抑制できる。これにより裏基材２２及び表基材２１の両方に良好な意匠性を付与することができ、積層板８の商品価値を向上させることができる。
【手続補正１６】
【補正対象書類名】明細書
【補正対象項目名】０１０２
【補正方法】変更
【補正の内容】
【０１０２】
この実施形態の積層板９においては、裏基材２２の裏面側に第７実施形態と同様に、熱可塑性樹脂発泡シート４１が配置されている。熱可塑性樹脂発泡シート４１は、端部２２ａを除く裏基材２２の裏面側の略全体に積層されており、その下に嵩上げ架橋材２４及びリインフォース２５が配置される。これにより熱可塑性樹脂発泡シート４１は、裏基材２２と、嵩上げ架橋材２４及びリインフォース２５との間に設けられる。このように熱可塑性樹脂発泡シート４１を裏基材２２と、嵩上げ架橋材２４及びリインフォース２５との間に設けることにより、裏基材２２と、嵩上げ架橋材２４及びリインフォース２５とが直接に接触することを阻止するようになっている。なお、この実施形態においても、裏基材２２の表面側には、絞模様が施されるものである。
【手続補正１７】
【補正対象書類名】明細書
【補正対象項目名】０１０８
【補正方法】変更
【補正の内容】
【０１０８】
第４の工程においては、上述した真空賦形と同時に表基材２１及び裏基材２２の内部に圧縮空気を注入してブロー成形する。このブロー成形により、嵩上げ架橋材２４及びリインフォース２５を表基材２１及び熱可塑性樹脂発泡シート４１に溶着して固定する。これと同時に、表基材２１及び裏基材２２の端部２１ａ，２２ａを溶着すると共に溶着した端部の周辺部を切り離す。
【手続補正１８】
【補正対象書類名】明細書
【補正対象項目名】０１１１
【補正方法】変更
【補正の内容】
【０１１１】
又、裏基材２２と嵩上げ架橋材２４及びリインフォース２５との間に熱可塑性樹脂発泡シート４１が介在しているため、裏基材２２と嵩上げ架橋材２４及びリインフォース２５とが直接に接触することがない。このため、嵩上げ架橋材２４及びリインフォース２５の熱伝導率が異なっていても熱伝導率の差に影響されることなく、裏基材２２の全体が均一に収縮する。このように裏基材２２の全体が均一に収縮することにより、裏基材２２にスジむらが発生することを抑制できる。これにより裏基材２２に良好な意匠性を付与することができ、積層板９の商品価値を向上させることができる。
【手続補正１９】
【補正対象書類名】明細書
【補正対象項目名】０１１３
【補正方法】変更
【補正の内容】
【０１１３】
この実施形態の積層板１０においては、裏基材２２の裏面側に第７実施形態及び第９実施形態と同様に、熱可塑性樹脂発泡シート４１が配置されている。熱可塑性樹脂発泡シート４１は、端部２２ａを除く裏基材２２の裏面側の略全体に積層されており、その下に嵩上げ架橋材２４及びリインフォース２５が配置される。これにより熱可塑性樹脂発泡シート４１は、裏基材２２と、嵩上げ架橋材２４及びリインフォース２５との間に設けられる。このように熱可塑性樹脂発泡シート４１を、裏基材２２と、嵩上げ架橋材２４及びリインフォース２５との間に設けることにより、裏基材２２と、嵩上げ架橋材２４及びリインフォース２５とが直接に接触することを阻止するようになっている。なお、この実施形態においても、裏基材２２の表面側には、絞模様が施されるものである。
【手続補正２０】
【補正対象書類名】明細書
【補正対象項目名】０１１６
【補正方法】変更
【補正の内容】
【０１１６】
熱可塑性シート３９は、表面側に絞模様が形成された熱可塑性ポリオレフィンエラストマー（ＴＰＯ）又は熱可塑性ポリ塩化ビニル（ＰＶＣ）が用いられる。熱可塑性シート３９は、表面側に微細な孔が形成されることにより、真空賦形するとき、表皮材３７と表基材２１との間にできるエア溜まりを抑えて熱可塑性シート３９の絞形状を保持しながら溶着することができる。このような絞模様が形成された熱可塑性シート３９を不織布３８の表面側に設けることにより、表基材２１の表面側には絞模様が形成された状態となり、表基材２１の表面側に意匠性を付与することができる。
【手続補正２１】
【補正対象書類名】明細書
【補正対象項目名】０１１７
【補正方法】変更
【補正の内容】
【０１１７】
この実施形態の積層板１０の製造における第１の工程では、加熱軟化させた表基材２１を下型３１に吸引させながら下型３１の内面形状に真空賦形する。この場合、表基材２１の表面側（下型３１側）には、不織布３８及び熱可塑性シート３９からなる表皮材３７が積層されており、この積層状態で表基材２１が下型３１に載置されて真空賦形される。この真空賦形においては、不織布３８のアンカー効果により表基材２１と熱可塑性シート３９とが不織布３８を介して相互に貼り合わせられる。
【手続補正２２】
【補正対象書類名】明細書
【補正対象項目名】０１２４
【補正方法】変更
【補正の内容】
【０１２４】
又、裏基材２２と嵩上げ架橋材２４及びリインフォース２５との間に熱可塑性樹脂発泡シート４１が介在しているため、裏基材２２と嵩上げ架橋材２４及びリインフォース２５とが直接に接触することがない。このため、嵩上げ架橋材２４及びリインフォース２５の熱伝導率が異なっていても熱伝導率の差に影響されることなく、裏基材２２の全体が均一に収縮する。このように裏基材２２の全体が均一に収縮することにより、裏基材２２にスジむらが発生することを抑制できる。これにより裏基材２２に良好な意匠性を付与することができ、積層板１０の商品価値を向上させることができる。
【手続補正２３】
【補正対象書類名】図面
【補正対象項目名】図２
【補正方法】変更
【補正の内容】
【図２】
2012030551.tif 000001